(57)【特許請求の範囲】
【請求項１】
リール本体の前部に設けられ、釣糸が巻回されるスプールと、
前記リール本体に回転自在に支持されたハンドルの巻き取り操作で回転する駆動歯車と噛合するピニオンギヤを介して回転可能であり、釣糸案内部を介して前記スプールに釣糸を巻回案内するロータと、
前記ハンドルの回転運動をスプールの前後往復動に変換する、オシレートギヤを備えたオシレート機構と、
前記スプールの回転を規制する規制状態とスプールフリーにするフリー状態とに切換え操作可能な操作部材を備えた切換機構と、
スプールフリー状態にある前記切換機構を、前記ハンドルの巻き取り操作によって規制状態に復帰させる復帰機構と、
を有し、
前記ハンドルが装着される駆動軸に第１歯車と第２歯車を一体回転可能に設け、前記第１歯車と第２歯車の夫々に、前記復帰機構を作動させる復帰ギヤと前記オシレートギヤを噛合させ、
前記ピニオンギヤに挿通されるスプール軸に対し駆動歯車側に前記復帰ギヤの噛合部を配置し、前記スプール軸に対し駆動歯車と反対側に前記オシレートギヤの噛合部を配置したことを特徴とする魚釣用スピニングリール。
【請求項２】
前記復帰ギヤと噛合する第１歯車の少なくとも歯部の一部を、前記駆動歯車の凹所内に設けたことを特徴とする請求項１に記載の魚釣用スピニングリール。
【発明の詳細な説明】
【技術分野】
【０００１】
本発明は、スプールの回転を規制する規制状態とスプールフリー状態に切換える切換機構と、スプールフリー状態にある切換機構をハンドルの回転に連動して規制状態に復帰させる復帰機構と、を備えた魚釣用スピニングリールに関する。
【背景技術】
【０００２】
魚釣用スピニングリールの中には、リール本体内に、スプールに回転抵抗を与えるドラグ機構を、ドラグ作動状態（スプールの回転が規制される規制状態）と、非作動状態（スプールフリー状態；スプールが完全にフリーになる状態とサブドラグ機構によってドラグ力が作用する状態を含む）に切換える切換機構を備えたものが知られている。
【０００３】
通常、このような魚釣用スピニングリールには、前記切換機構が非作動状態にあるときに、ハンドルを巻き取り回転操作することで、ドラグ作動状態に自動的に復帰させる復帰機構が設けられている。例えば、特許文献１には、フェースギヤを有しハンドルが連結される駆動軸のリールボディ側の端部に一体的に形成したカムを使用して、非作動状態にある切換機構を、ハンドルの巻き取り回転操作で、ドラグ作動状態に復帰させる復帰機構が開示されている。
【特許文献１】特開２０００−８３５２７号
【発明の開示】
【発明が解決しようとする課題】
【０００４】
上記した公知の魚釣用スピニングリールは、ハンドルの回転運動をスプールの前後往復動に変換するオシレート機構にウォームシャフト方式を採用しており、このウォームシャフトは、ハンドルが装着される駆動軸の下側のギヤボックス内の前後部間に架設されることから、リール本体が大型化してしまう。
【０００５】
この場合、スプールを往復動させる手段として、リール本体を小型化することが可能なオシレートギヤ方式（駆動軸上に設けた歯車を、スプール軸と一体的に前後動する摺動子に係合するオシレートギヤに噛合させて、ハンドルの回転をスプール前後動に変換する方式）を採用しようとしても、前記駆動軸の端部に、復帰機構を作動させるためのカムを一体的に設けているため、リール本体を小型化することはできない。すなわち、駆動軸に、オシレートギヤ方式のアイドルギヤを設置しようとしても、前記カムが配置されていることから、駆動軸方向にリール本体が大型化してしまう（軸方向が厚くなる）。
【０００６】
本発明は、上記した問題に基づいてなされたものであり、スプールを規制状態とフリー状態に切換える切換機構、及びスプールをフリー状態から規制状態に復帰させる復帰機構を備え、リール本体の小型化が図れる魚釣用スピニングリールを提供することを目的とする。
【課題を解決するための手段】
【０００７】
上記した目的を達成するために、本発明に係る魚釣用スピニングリールは、リール本体の前部に設けられ、釣糸が巻回されるスプールと、前記リール本体に回転自在に支持されたハンドルの巻き取り操作で回転する駆動歯車と噛合するピニオンギヤを介して回転可能であり、釣糸案内部を介して前記スプールに釣糸を巻回案内するロータと、前記ハンドルの回転運動をスプールの前後往復動に変換する、オシレートギヤを備えたオシレート機構と、前記スプールの回転を規制する規制状態とスプールフリーにするフリー状態とに切換え操作可能な操作部材を備えた切換機構と、スプールフリー状態にある前記切換機構を、前記ハンドルの巻き取り操作によって規制状態に復帰させる復帰機構と、を有し、前記ハンドルが装着される駆動軸に第１歯車と第２歯車を一体回転可能に設け、前記第１歯車と第２歯車の夫々に、前記復帰機構を作動させる復帰ギヤと前記オシレートギヤを噛合させ、前記ピニオンギヤに挿通されるスプール軸に対し駆動歯車側に前記復帰ギヤの噛合部を配置し、前記スプール軸に対し駆動歯車と反対側に前記オシレートギヤの噛合部を配置したことを特徴とする。
【０００８】
上記した構成の魚釣用スピニングリールにおいては、ハンドルが装着される駆動軸に一体回転可能に設けられた第１歯車及び第２歯車に対して、前記復帰機構を作動させる復帰ギヤと、オシレート機構を構成するオシレートギヤの夫々を噛合させており、前記ピニオンギヤに挿通されるスプール軸に対し駆動歯車側に前記復帰ギヤの噛合部を配置し、かつ前記スプール軸に対し駆動歯車と反対側に前記オシレートギヤの噛合部を配置しているため、リール本体内のスペースを効率的に使用でき、リール本体を小型化することが可能となる。
【発明の効果】
【０００９】
本発明によれば、スプールを規制状態とフリー状態に切換える切換機構、及びスプールをフリー状態から規制状態に復帰させる復帰機構を備えた魚釣用スピニングリールのリール本体を小型化することが可能となる。
【発明を実施するための最良の形態】
【００１０】
以下、本発明に係る魚釣用スピニングリールの実施形態について、添付図面を参照して具体的に説明する。
【００１１】
図１から図５は、本発明に係る魚釣用スピニングリールの一実施形態を示す図であり、図１は、スプール規制状態（切換えレバーＯＮ）を示す図、図２は、スプールフリー状態（切換えレバーＯＦＦ）を示す図、図３は、図１のＡ−Ａ線に沿った断面図、図４は、図２のＢ−Ｂ線に沿った断面図、そして、図５は、図１のＣ−Ｃ線に沿った断面図である。
【００１２】
魚釣用スピニングリールのリール本体１には、釣竿に装着されるリール脚１Ａが一体形成されており、その前方には、釣糸案内部（図示せず）を備え、回転可能に支持されたロータ２と、ロータ２の回転運動と同期して前後動可能に支持され、釣糸が巻回されるスプール３が配設されている。
【００１３】
リール本体１内には、ハンドル軸（駆動軸）４が軸受４ａを介して回転可能に支持されており、その突出端部には、ハンドル５が取り付けられている。また、ハンドル軸４には、巻き取り駆動機構が係合しており、この巻き取り駆動機構は、ハンドル軸４に取り付けられ、内歯（歯部７ａ）が形成された駆動歯車（フェースギヤ）７と、この駆動歯車７に噛合すると共にハンドル軸４と直交する方向に延出し、内部に軸方向に延出する空洞部が形成されたピニオンギヤ９とを備えている。この場合、駆動歯車７の歯部７ａの径方向内側には、凹所７ｂが形成されており、この凹所７ｂ内に、後述する第１歯車１５Ａの歯部の一部が設けられ、復帰ギヤ５１と噛合するように構成されている。
【００１４】
前記ピニオンギヤ９は、軸受９ａを介してリール本体内に回転可能に支持されており、前記ロータ２を一体回転するように連結されている。そして、その空洞部には、ハンドル軸４と直交する方向に延出し、先端側に前記スプール３を装着したスプール軸３ａが軸方向に移動可能に挿通されている。このスプール軸３ａは、ハンドル５を回転駆動した際、後述するオシレート機構１０によって前後往復動されるようになっている。
【００１５】
前記ハンドル軸４には、第１歯車１５Ａと第２歯車１５Ｂが同軸上に一体回転可能に設けられている。本実施形態では、第１歯車１５Ａと第２歯車１５Ｂは、夫々、ハンドル軸４に対して個別に一体形成されており、図３に示すように、スプール軸３ａ（その軸線Ｘ）に対して、駆動歯車７側と、リール本体側（駆動歯車と反対側）に振り分けて形成されている。なお、第１歯車１５Ａと第２歯車１５Ｂは、分離することなくハンドル軸４に一体となって形成されていても良く、この場合、歯部が軸線Ｘに対して振り分けられていれば良い。
【００１６】
前記第１歯車１５Ａの歯部の一部は、本実施形態では、図３に示すように、駆動歯車７の歯部７ａの径方向内側に形成される凹所７ｂ内に設けられており、かつその凹所７ｂ内に、後述する復帰ギヤ５１が配設されて第１歯車１５Ａと噛合されている。また、前記第２歯車１５Ｂには、後述するオシレート機構１０のオシレートギヤ１４が噛合されている。このため、ピニオンギヤ９に挿通されるスプール軸３ａに対し、駆動歯車７側に復帰ギヤ５１の噛合部が位置し、スプール軸３ａに対し駆動歯車と反対側にオシレートギヤ１４の噛合部が位置するよう構成されている。
【００１７】
前記オシレート機構１０は、オシレートギヤ方式によって構成されており、前記スプール軸３ａの後端部に装着され、案内溝１２ａが形成された摺動子１２と、前記案内溝１２ａ内に係合される偏芯突部１４ａが設けられたオシレートギヤ（連動歯車）１４とを備えている。
【００１８】
このオシレートギヤ１４は、上記した第２歯車１５Ｂと噛合されており、前記ハンドル５を回転操作すると、オシレートギヤ１４は、前記第２歯車１５Ｂを介して回転駆動され、前記摺動子１２（スプール３を装着したスプール軸３ａ）は、オシレートギヤ１４に設けられた偏芯突部１４ａと案内溝１２ａの係合関係によって前後に往復動される。
【００１９】
以上のような構成により、ハンドル５を巻き取り操作すると、ロータ２は、駆動歯車７及びピニオンギヤ９を介して回転駆動され、かつ、スプール３は、上記したオシレート機構１０を介して前後方向に往復駆動され、スプール３には、回転するロータ２の釣糸案内部を介して均等に釣り糸が巻回される。
【００２０】
前記スプール３とスプール軸３ａとの間には、図示しないスプールの回転に制動力を付与する公知のドラグ機構（フロントドラグ機構）１７が設置されている。また、スプール軸３ａの後端側には、サブドラグ機構２０が設置されており、後述する切換機構によって、スプール３がフリー状態（スプール軸３ａがフリーに回転する状態）になったとき、補助的にスプール軸３ａに対して制動力（ドラグ力）を付与できるようになっている。
【００２１】
具体的には、前記サブドラグ機構２０は、リール本体１の後端部に突出形成された円筒部１ａに対して回転操作される調節ネジ２１と、調節ネジ２１の回転操作に伴う軸方向の移動により、押圧バネ２２を介して所定の制動力を付与可能にする制動部材２３とを備えている。前記スプール軸３ａの後端側には、スプール軸３ａの後部の非円形部を軸方向移動可能に回り止め嵌合した状態で挿通させるカラー２４が配置されており、前記制動部材２３は、リール本体１及びカラー２４との間で制動力を作用させ、スプール軸３ａが切換機構によってフリー回転可能な状態になったときでも、調節ネジ２１を回転操作することで、スプール３の回転に補助的に制動力を作用させることが可能となっている。
【００２２】
前記リール本体１内には、スプール３の回転を規制する規制状態とスプールフリーにするフリー状態とに切換える切換機構３０と、スプールフリー状態にある切換機構３０をハンドル５の巻き取り操作によって前記規制状態に復帰させる復帰機構５０が設けられている。以下、これらの機構について説明する。
【００２３】
なお、本実施形態における「スプールの規制状態」とは、スプール軸３ａの回転が阻止されて、スプール軸３ａとドラグ機構１７との間で所望のドラグ力が作用する状態やスプールロック状態を意味し、「スプールフリー状態」とは、スプール軸３ａが自由回転状態になったことを意味する。従って、スプールフリー状態には、前記サブドラグ機構２０によって、スプールに対して小さな回転抵抗が加わった状態を含む。
【００２４】
前記切換機構３０は、リール本体１から外部に突出し、回動操作可能な切換えレバー（操作部材）３１と、リール本体１内に配設され、切換えレバー３１の回動操作に伴ってスプール軸方向に沿ってスライド駆動されるストッパ部材３４とを備えている。
【００２５】
前記切換えレバー３１は、リール本体１に対して支軸３１ａを中心にして回動可能に支持されており、切換えレバー３１の支持部には、規制片３１ｂと当接片３１ｃが形成されている。
【００２６】
前記規制片３１ｂには、リール本体１との間に設置される振り分け保持バネ３３が接続されており、切換えレバー３１を、図１に示す状態（切換えレバーＯＮ）と、図２に示すスプールフリー状態（切換えレバーＯＦＦ）に振り分け保持するようにしている。この場合、規制片３１ｂは、図１に示す状態で、後述するキックプレートに当接して、キックプレートの回動を規制すると共に、図２に示す状態で、その規制を解除してリール本体１の内面に当接されるようになっている。
【００２７】
また、前記当接片３１ｃは、切換えレバー３１が回動された際、ストッパ部材３４の前端部に形成された当接部３４ａに当接すると共に、後述するキックプレート６０に形成されたキック片６８によってキックされるようになっている。
【００２８】
前記ストッパ部材３４は、リール本体１に対して、スプール軸方向に沿って移動可能に回り止め支持されており、リール本体１との間に配設される付勢バネ３５によって、常時、後方側に向けて付勢されている。なお、ストッパ部材３４の後端側には、スプール軸３ａに対して回り止め固定されたラチェット３ｂに対して係脱される係脱部３４ｂが形成されており、ストッパ部材３４が付勢バネ３５の付勢力によって後方側に付勢されている状態では、前記係脱部３４ｂは、ラチェット３ｂに係合して、スプール軸３ａを回り止めしている。
【００２９】
また、ストッパ部材３４の前端部には、当接部３４ａが形成されており、切換えレバー３１を図１に示すＯＮ状態から、図２に示すＯＦＦ状態に回動操作した際、前記当接片３１ｃが当て付いて、ストッパ部材３４は、付勢バネ３５の付勢力に抗して、前方側に移動するようになっている。この場合、ストッパ部材３４が前方に移動されると、前記係脱部３４ｂは、ラチェット３ｂから離脱し、スプール軸３ａをフリー回転可能な状態にする（図２参照）。
【００３０】
そして、スプールフリー状態に切換えられた切換機構３０は、復帰機構５０によって、図２に示す状態から図１に示す状態に復帰される。以下、この復帰機構５０の構成について説明する。
【００３１】
復帰機構５０は、前記ハンドル軸４に一体的に設けられた第１歯車１５Ａに噛合するギヤ（復帰ギヤ）５１と、この復帰ギヤ５１の回転駆動に伴って駆動されるキックプレート６０とを備えている。
【００３２】
この場合、復帰ギヤ５１は、第１歯車１５Ａに対して、上述した第２歯車１５Ｂと噛合するオシレートギヤ１４と略反対方向で噛合するようにしており、ハンドル軸４の回転駆動力を、効率的に復帰ギヤ５１及びオシレートギヤ１４に伝達できるようにしている。また、復帰ギヤ５１の歯部５１ａは、上述したように、駆動歯車７の凹所７ｂ内で、第１歯車１５Ａに噛合するように配設されている。
【００３３】
前記復帰ギヤ５１は、リール本体１に対して回転可能に支持されており、歯部５１ａに隣接して、同軸上にカム５１ｂが一体的に形成されている。この場合、カム５１ｂは、図１及び図２に示すように、回転方向に沿って略１８０°間隔で２箇所形成されており、復帰ギヤ５１が図２に示す状態において、時計回り方向に回転した際、キックプレート６０の一端部に形成された当接部６１に当接可能となっている。
【００３４】
前記キックプレート６０には、長孔６３が形成されており、この長孔６３には、リール本体１に装着されたピン６５が係合されている。また、キックプレート６０には、リール本体１との間で引張バネ６７が配設されており、キックプレート６０は、ピン６５を中心として、常時、反時計回り方向に付勢された状態となっている。この場合、キックプレート６０は、図１に示すＯＮ状態において、上述した切換えレバー３１の規制片３１ｂによって、引張バネ６７による回動が規制されている。すなわち、キックプレート６０は、ピン６５を中心にして、引張バネ６７の付勢力によって反時計回り方向に回動しようとするものの、規制片３１ｂによって、その回動が規制された状態となっている。
【００３５】
また、前記キックプレート６０の他端部には、キック片６８が屈曲形成されており、キックプレート６０がカム５１ｂによって駆動された際、上述した切換えレバー３１の当接片３１ｃをキックするようになっている。
【００３６】
以上のように構成される魚釣用スピニングリールの作用について説明する。
【００３７】
最初、図１に示すように切換機構３０がＯＮの状態となっている。この状態では、ストッパ部材３４の係脱部３４ｂがラチェット３ｂに係合しているため、スプール軸３ａは固定状態となっており、スプール３には、フロントドラグ機構１７を介して所望のドラグ力が作用した状態となる。
【００３８】
図１に示す状態から切換えレバー３１を矢印方向に回動操作すると、支軸３１ａを中心として当接片３１ｃが時計回り方向に回動されて、ストッパ部材３４の当接部３４ａに当接し、ストッパ部材３４を、付勢バネ３５の付勢力に抗してスプール側にシフトさせる。このとき、図２に示すように、ストッパ部材３４の係脱部３４ｂは、ラチェット３ｂから離脱し、スプール軸３ａ（スプール３）はフリー回転可能な状態となる。なお、この状態は、振り分け保持バネ３３によって保持される。
【００３９】
これにより、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００４０】
また、切換えレバー３１の矢印方向の回動操作により、規制片３１ｂは、キックプレート６０から離れて、その規制を解除するため、キックプレート６０は、引張バネ６７の引張力によって、ピン６５を中心として反時計回り方向に回動される。これにより、図２に示すように、キックプレート６０の一端部に形成された当接部６１は、復帰ギヤ５１のカム５１ｂの回転軌跡内に入り込む。
【００４１】
なお、この状態で、ロータ２が逆転可能状態に設定されていると、魚が掛かった場合など、ハンドル軸４（歯車１５）は、図２において、時計回り方向に回転してしまう。このとき、復帰ギヤ５１は、反時計回り方向に回転するものの、カム５１ｂの周囲に形成された円弧面５１ｃがキックプレート６０に摺接することから、切換機構３０や復帰機構５０の動作に影響を与えることはない。
【００４２】
そして、図２に示す状態において、ハンドル５を巻き取り操作すると、歯車１５は反時計回り方向に回転し、復帰ギヤ５１（カム５１ｂ）は、時計回り方向に回転する。これに伴い、キックプレート６０は、カム５１ｂによって引張バネ６７の付勢力に抗して後方側に移動され（長孔６３とピン６５との係合関係によって後方側に移動される）、他端部に形成されたキック片６８が切換えレバー３１の当接片３１ｃをキックする。
【００４３】
これにより、切換えレバー３１は、支軸３１ａを中心として反時計回り方向に回動され、振り分け保持バネ３３によって、図１に示す状態に復帰、保持される。また、この切換えレバー３１の回動により、当接片３１ｃはストッパ部材３４の当接部３４ａから離脱するため、ストッパ部材３４は付勢バネ３５の付勢力によって後方側にシフトする。この結果、ストッパ部材３４の係脱部３４ｂはラチェット３ｂと係合し、再び、スプール３の回転が規制される規制状態に切換えられる。
【００４４】
上記した構成における魚釣用スピニングリールでは、スプール３を前後往復動させる機構として、オシレートギヤ方式を採用していることから、リール本体１を小型化することが可能となる。
【００４５】
そして、ハンドル５が装着されるハンドル軸４に一体回転可能に設けられた第１歯車１５Ａ及び第２歯車１５Ｂに対して、復帰機構５０を作動させる復帰ギヤ５１と、オシレート機構１０を構成するオシレートギヤ１４の夫々を噛合させており、ピニオンギヤ９に挿通されるスプール軸３ａに対し駆動歯車７側に復帰ギヤ５１の噛合部を配置し、かつスプール軸３ａに対し駆動歯車７と反対側にオシレートギヤ１４の噛合部を配置しているため、リール本体１内のスペースを効率的に使用でき、リール本体１を小型、軽量化することが可能となる。
【００４６】
特に、本実施形態では、駆動歯車７の凹所７ｂ内に、第１歯車１５Ａを位置させ、ここに復帰ギヤ５１の歯部５１ａとの噛合部を配設しているため、第１歯車１５Ａ及び復帰ギヤ５１を限られたスペース内で効率的に設置することができ、リール本体１の、より可及的な小型化（薄型化）、及び軽量化を図ることが可能になる。
【００４７】
以上、本発明の実施形態について説明したが、本発明は、上記した実施形態に限定されることはなく、種々変形することが可能である。
【００４８】
本発明は、ギヤオシレート方式のオシレート機構１０と、スプール３の回転を規制する規制状態とスプールフリーにするフリー状態とを切換える切換機構３０とを備えた魚釣用スピニングリールにおいて、ハンドル５の巻き取り操作によって、規制状態に自動復帰させる復帰機構５０を作動させる復帰ギヤ５１とオシレートギヤ１４のそれぞれの噛合部を、ハンドル軸４に設けられた第１歯車１５Ａ及び第２歯車１５Ｂに対し、スプール軸３ａに対して振り分けられるように配置することに特徴があり、それ以外の構成については、適宜変形することが可能である。
【００４９】
例えば、ストッパ部材３４の構成や動作方向、切換えレバー３１、ストッパ部材３４及びキックプレート６０の相互の係合関係や配置態様等については、上記した実施形態に限定されることはなく適宜変形することが可能である。また、ハンドル軸４に設けられる第１歯車１５Ａと第２歯車１５Ｂについては、ハンドル軸４に夫々別体として一体回転可能に設けられていても良い。
【図面の簡単な説明】
【００５０】
【図１】本発明の一実施形態に係る魚釣用スピニングリールの内部構成を示し、スプール規制状態（切換えレバーＯＮ）を示す図。
【図２】スプールフリー状態（切換えレバーＯＦＦ）を示す図。
【図３】図１のＡ−Ａ線に沿った断面図。
【図４】図２のＢ−Ｂ線に沿った断面図。
【図５】図１のＣ−Ｃ線に沿った断面図。
【符号の説明】
【００５１】
１  リール本体
２  ロータ
３  スプール
４  ハンドル軸（駆動軸）
５  ハンドル
７  駆動歯車
１０  オシレート機構
１４  オシレートギヤ
１５Ａ  第１歯車
１５Ｂ  第２歯車
１７  ドラグ機構
２０  サブドラグ機構
３０  切換機構
３１  切換えレバー（操作部材）
３４  ストッパ部材
５０  復帰機構
５１  復帰ギヤ
６０  キックプレート
【図１】
0004865759.tif 000002
【図２】
0004865759.tif 000003
【図３】
0004865759.tif 000004
【図４】
0004865759.tif 000005
【図５】
0004865759.tif 000006